(57)【要約】【課題】ブラックアウトの発生を伴うことなく不正機器認証処理を行う。【解決手段】本発明に係る映像音声出力機器は、ＨＤＭＩ通信を用い映像及び音声データを受信機器１２０に出力する映像音声出力機器１１０であって、不正機器の情報を示すリストである不正機器リストを保持するリスト保持部１１３と、不正機器リストを用い受信機器１２０が不正な機器であるか否かを確認する第１の機器認証と、周期的に行われる受信機器１２０の機器認証である第２の機器認証とを行う認証部１１５と、新たな不正機器リストを取得し、取得した不正機器リストがリスト保持部１１３に保持される不正機器リストより新しい場合に、リスト保持部１１３に保持される不正機器リストを取得した不正機器リストに更新し、認証部１１５による第２の機器認証と並列に更新された不正機器リストを用い受信機器１２０が不正な機器であるか否かを確認する不正機器確認部１１８とを備える。【選択図】図２
2008131557.tif 000002
【特許請求の範囲】
【請求項１】
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）通信を用い映像データ及び音声データのうち少なくとも一方を受信機器に出力する映像音声出力機器であって、
不正機器の情報を示すリストである不正機器リストを保持するリスト保持手段と、
前記リスト保持手段に保持される不正機器リストを用い前記受信機器が不正な機器であるか否かを確認する第１の機器認証と、周期的に行われる前記受信機器の機器認証である第２の機器認証とを行う認証手段と、
新たな不正機器リストを取得するリスト取得手段と、
前記リスト取得手段により取得された不正機器リストが、前記リスト保持手段に保持される不正機器リストより新しい場合に、前記リスト保持手段に保持される不正機器リストを、前記リスト取得手段により取得された不正機器リストに更新する更新手段と、
前記更新手段により不正機器リストが更新された場合に、前記認証手段による第２の機器認証と並列に、該更新された不正機器リストを用い前記受信機器が不正な機器であるか否かを確認する不正機器確認手段とを備える
ことを特徴とする映像音声出力機器。
【請求項２】
前記映像音声出力機器は、さらに、
前記第１の機器認証の際に、前記受信機器の機器固有の情報を取得する機器情報取得手段と、
前記機器情報取得手段により取得された前記受信機器の機器固有の情報を保持する機器情報保持手段とを備え、
前記認証手段は、前記第１の機器認証において、前記機器情報保持手段に保持される前記受信機器の機器固有の情報が、前記リスト保持手段に保持される不正機器リストに含まれない場合に、前記受信機器が正当な機器であると判定し、
前記不正機器確認手段は、前記第１の機器認証の際に取得され前記機器情報保持手段に保持される前記受信機器の機器固有の情報が、前記更新手段により更新され前記リスト保持手段に保持される不正機器リストに含まれない場合に、前記受信機器が正当な機器であると判定する
ことを特徴とする請求項１記載の映像音声出力機器。
【請求項３】
前記不正機器確認手段は、
前記更新手段により不正機器リストが更新された場合に、前記認証手段による第２の機器認証と並列に、該更新された不正機器リストに含まれる署名情報が正当であるか否かを検証する署名検証手段を備える
ことを特徴とする請求項１又は２記載の映像音声出力機器。
【請求項４】
前記リスト取得手段は、前記認証手段による第２の機器認証と並列に、不正機器リストを取得し、
前記更新手段は、前記リスト取得手段により取得された不正機器リストが、前記リスト保持手段に保持される不正機器リストより新しい場合に、前記認証手段による第２の機器認証と並列に、前記リスト保持手段に保持される不正機器リストを、前記リスト取得手段により取得された不正機器リストに更新する
ことを特徴とする請求項１、２又は３記載の映像音声出力機器。
【請求項５】
前記認証手段により行われる前記受信機器の機器認証は、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）規格で定められた機器認証であり、
前記第１の機器認証は、ＨＤＣＰ規格に定められた第１認証及び第２認証であり、
前記第２の機器認証は、ＨＤＣＰ規格に定められた第３認証である
ことを特徴とする請求項１〜４のいずれか１項に記載の映像音声出力機器。
【請求項６】
ＨＤＭＩ通信を用い映像データ及び音声データのうち少なくとも一方を受信機器に出力する映像音声処理システムであって、
請求項１〜５のいずれか１項に記載の映像音声出力機器と、
映像データ及び音声データのうち少なくとも一方を記録媒体からの読み出し、読み出した映像データ及び音声データのうち少なくとも一方を処理する処理手段と、
前記処理手段により処理された映像データ及び音声データのうち少なくとも一方を、ＨＤＭＩ通信を用いて前記受信機器に出力する出力手段とを備える
ことを特徴とする映像音声処理システム。
【請求項７】
ＨＤＭＩ通信を用い映像データ及び音声データのうち少なくとも一方を受信機器に出力し、不正機器の情報を示すリストである不正機器リストを保持するリスト保持部を備える映像音声出力機器における認証処理方法であって、
前記リスト保持部に保持される不正機器リストを用い前記受信機器が不正な機器であるか否かを確認する第１の機器認証を行う第１の機器認証ステップと、
不正機器リストを取得するリスト取得ステップと、
前記リスト取得ステップで取得された不正機器リストが、前記リスト保持部に保持される不正機器リストより新しい場合に、前記リスト保持部に保持される不正機器リストを、前記リスト取得ステップで取得された不正機器リストに更新する更新ステップと、
前記更新ステップで不正機器リストが更新された場合に、周期的に行われる前記受信機器の機器認証である第２の機器認証と並列に、該更新された不正機器リストを用い前記受信機器が不正な機器であるか否かを確認する不正機器確認ステップとを含む
ことを特徴とする認証処理方法。
【発明の詳細な説明】
【技術分野】
【０００１】
本発明は、映像音声出力機器、認証処理方法及び映像音声処理システムに関し、特に、ＨＤＭＩ通信を用い映像データ及び音声データのうち少なくとも一方を受信機器に出力する映像音声出力機器に関する。
【背景技術】
【０００２】
近年、高画質化及びデジタル化が進むにつれて、ＤＶＤレコーダ及びＤＶＤプレーヤ等の送信機器からＴＶ及びアンプ等の受信機器への映像データ及び音声データ等を含むコンテンツの送信に非圧縮で高速デジタル伝送が可能なインターフェースであるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）通信による送信が行われている。また、送信機器から送信されるコンテンツの著作権を保護する機能としてＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）規格（非特許文献１参照。）で定められた機器認証及びコンテンツ保護が使用されている。
【０００３】
ＨＤＣＰ規格は、コンテンツを暗号化し送信する送信機器と、コンテンツを受信し復号化する受信機器との間におけるコンテンツの伝送を保護するための規格である。ＨＤＣＰ規格では、認証プロトコルを用いて送信機器が受信機器との機器認証を行う。機器認証は、第１認証、第２認証及び第３認証の複数の認証が実行される。機器認証の結果、受信機器が不正機器でないと判断された場合、送信機器が暗号化しているコンテンツを受信機器が復号化することが可能となる。
【０００４】
ＨＤＣＰ規格における機器認証は、ＤＤＣ（Ｄｉｓｐｌａｙ  Ｄａｔａ  Ｃｈａｎｎｅｌ）通信を用い行われる。
【０００５】
また、ＨＤＣＰ規格では不正機器情報をリスト化した不正機器リスト（Ｖｅｃｔｏｒ  Ｒｅｖｏｃａｔｉｏｎ  Ｌｉｓｔｓ）を用いて受信機器が不正機器でないかの確認を行う処理方法が規定されている。不正機器確認（Ｓｙｓｔｅｍ  Ｒｅｎｅｗａｂｉｌｉｔｙ  Ｍｅｓｓａｇｅ）は第１認証時、及び第２認証時に実行され、不正機器と判断された受信機器は受信中のコンテンツを正しく復号化できなくなる、または送信機器が受信機器に対してコンテンツの送信を行わない等の対処が実行される。
【０００６】
図８は、ＨＤＣＰ規格における機器認証が行われる従来の映像音声通信システムの構成を示す図である。図８に示す映像音声通信システム５００は、ＨＤＭＩ通信システムであり、ＤＶＤプレーヤ等の送信機器５１０と、ＴＶ受信機等の受信機器５２０とを備える。送信機器５１０と受信機器５２０とは、ＨＤＭＩケーブル５３０を介し接続される。
【０００７】
送信機器５１０は、ＨＤＭＩ通信を用い映像データ及び音声データを受信機器に出力する映像音声出力機器である。送信機器５１０は、ＣＰＵ５１１と、ディスクを制御するディスク制御部５１２と、メモリ領域５１３と、ＨＤＭＩ送信部５１４とを備える。ＨＤＭＩ送信部５１４は、受信機器５２０へ映像データ及び音声データを含むコンテンツの送信を行うＬＳＩである。ＨＤＭＩ送信部５１４は、ＨＤＭＩケーブル５３０を介し、受信機器５２０に映像データ及び音声データを含むコンテンツを一方向送信する。ＨＤＭＩ送信部５１４は、受信機器５２０の機器認証を行う認証部５１５と、送信するコンテンツを暗号化する暗号化部５１６と、ＤＤＣ部５１７とを備える。ＣＰＵ５１１は、ディスク制御部５１２、ＨＤＭＩ送信部５１４、及びメモリ領域５１３の制御を行う。ＤＤＣ部５１７は、ＨＤＭＩケーブル５３０を介し、受信機器５２０との双方向のＤＤＣ通信を行う。
【０００８】
メモリ領域５１３は、不正機器の情報である不正機器リストを保持する。不正機器リストは今後市場に不正機器が増加するに従い最新のものが作成され配布される。送信機器５１０は最新の不正機器リストの取得を再生メディア等の外部記憶媒体、またはインターネット等のネットワークを通して行うことが可能である。また、不正機器リストのバージョンアップ手法に関してはＨＤＣＰ規格で規定されている。よって、送信機器５１０は、再生メディア等を通して最新の不正機器リストを取得した後メモリ領域５１３へ格納し、直ちに受信機器５２０に対する不正機器確認をする必要がある。
【０００９】
受信機器５２０は、ＣＰＵ５２１と、ＨＤＭＩ受信部５２２と備える。ＨＤＭＩ受信部５２２は、送信機器５１０から送信された映像データ及び音声データを含むコンテンツの受信を行うＬＳＩである。ＨＤＭＩ受信部５２２は、機器認証を行う認証部５２３と、送信されたコンテンツを復号化する復号化部５２４とを備える。ＣＰＵ５２１は、ＨＤＭＩ受信部５２２の制御を行う。
【００１０】
図９は、従来の映像音声通信システム５００における機器認証の処理の流れを示すフローチャートである。送信機器５１０は、コンテンツをミュート状態（受信機器５２０では映像が出画されず、音声も出ていない状態）にし、受信機器５２０に対して送信を開始する（Ｓ５０１）。次に、送信機器５１０は、受信機器５２０との間で第１認証を実行する（Ｓ５０２）。
【００１１】
図１０は、従来の映像音声通信システム５００における第１認証処理（Ｓ５０２）の流れを示すフローチャートである。第１認証（Ｓ５０２）において、まず、認証部５１５は、送信機器５１０と受信機器５２０との間で認証に必要な情報の交換を行う。その際、送信機器５１０は、受信機器５２０の情報としてＢｋｓｖ情報を取得する（Ｓ６０１）。取得された受信機器５２０の情報は、メモリ領域５１３に保持される。情報の交換が完了すると、取得した情報をもとに送信機器５１０及び受信機器５２０は第１認証に必要な情報を生成し、生成した情報を用いて第１認証処理を行う（Ｓ６０２）。第１認証が異常終了の場合（Ｓ６０２でＮＧ）、メモリ領域５１３に保持される受信機器５２０の情報は破棄され（Ｓ６０６）、送信機器５１０は認証処理を異常終了する。
【００１２】
第１認証が正常終了の場合（Ｓ６０２でＰａｓｓ）、認証部５１５は、不正機器確認を行うため、メモリ領域５１３に保持される不正機器リストに含まれる署名の検証を行う（Ｓ６０３）。次に、認証部５１５は、取得した受信機器５２０の情報が、不正機器リストに含まれるか否かを判定する（Ｓ６０４）。取得した受信機器５２０の情報が、不正機器リストに含まれる場合（Ｓ６０４でＹｅｓ）、認証部５１５は、受信機器５２０が不正な機器であると判定し（Ｓ６０５）、メモリ領域５１３に保持される受信機器５２０の情報を破棄し（Ｓ６０６）、認証処理を異常終了する。取得した受信機器５２０の情報が、不正機器リストに含まれない場合（Ｓ６０４でＮｏ）、認証部５１５は、受信機器５２０が正当な機器であると判定する（Ｓ６０７）。なお、第１認証（Ｓ６０２）は不正機器のリスト確認処理の後（Ｓ６０７の後）に行ってもよい。
【００１３】
第１認証がＮＧの場合（Ｓ５０２でＮＧ）、送信機器５１０は、コンテンツの送信を異常終了する。第１認証がＰａｓｓの場合（Ｓ５０２でＰａｓｓ）、送信するコンテンツのミュート設定が解除される（Ｓ５０３）。すなわち、受信機器５２０では、コンテンツに含まれる映像データ及び音声データが表示される。次に、認証部５１５は、第２認証が必要であるか否かを判定する（Ｓ５０４）。具体的には、認証部５１５は、送信機器５１０に接続されている受信機器５２０に更に受信機器が接続されている場合に、第２認証が必要であると判定する（Ｓ５０４でＹｅｓ）。認証部５１５は、送信機器５１０に１つの受信機器のみが接続されている場合には、第２認証が不要であると判定する（Ｓ５０４でＮｏ）。
【００１４】
第２認証が必要であると判定された場合（Ｓ５０４でＹｅｓ）、認証部５１５は、第２認証を行う（Ｓ５０５）。なお、第２認証の処理の流れは、図１０に示す第１認証の処理の流れとほぼ同様である。違いとしては、ステップＳ６０１において、認証部５１５は、受信機器の情報としてＫＳＶＬｉｓｔ情報を取得する。また、認証部５１５は、ステップＳ６０２において第１認証の代わりに第２認証を行う（ここで、第１認証及び第２認証はＨＤＣＰ規格で規定されている第１認証及び第２認証である。）。第２認証がＮＧの場合（Ｓ５０５でＮＧ）、送信機器５１０は、コンテンツの送信を異常終了する。
【００１５】
第２認証が不要であると判定された場合（Ｓ５０４でＮｏ）又は第２認証がＰａｓｓの場合（Ｓ５０５でＰａｓｓ）、認証部５１５は、第３認証を行う（Ｓ５０６）。ここで、第３認証とは、暗号化部５１６が暗号化に用いる暗号鍵の更新処理等である。第３認証がＮＧの場合（Ｓ５０６でＮＧ）、送信機器５１０は、コンテンツの送信を異常終了する。
【００１６】
第３認証がＰａｓｓの場合（Ｓ５０６でＰａｓｓ）、送信機器５１０は、再生メディアに保持される不正機器リストを取得する（Ｓ５０７）。取得した不正機器リストが、メモリ領域５１３に保持されている不正機器リストより新しい場合（Ｓ５０８でＹｅｓ）、送信機器５１０は、メモリ領域５１３に保持されている不正機器リストを更新する（Ｓ５０９）。不正機器リストの更新（Ｓ５０９）後、再び、Ｓ５０１〜Ｓ５０８の処理が行われる。
【００１７】
一方、取得した不正機器リストが、メモリ領域５１３に保持されている不正機器リストより古い場合（Ｓ５０８でＮｏ）、メモリ領域５１３に保持されている不正機器リストの更新は行われない。また、コンテンツの送信が終了する（Ｓ５１０でＹｅｓ）まで、所定の周期毎に、第３認証（Ｓ５０６）が行われる。
【００１８】
以上の処理により、従来の送信機器５１０は、再生メディア等から不正機器リストを更新し、最新の不正機器リストを用いて、受信機器の不正機器認証（第１認証及び第２認証）を行う。
【非特許文献１】Ｄｉｇｉｔａｌ   Ｃｏｎｔｅｎｔ  Ｐｒｏｔｅｃｔｉｏｎ，ＬＬＣ、ＨＤＣＰ  Ｓｐｅｃｉｆｉｃａｔｉｏｎ  Ｒｅｖｉｓｉｏｎ  １．２  ＜URL: http://www.digital-cp.com/home＞
【発明の開示】
【発明が解決しようとする課題】
【００１９】
しかしながら、従来の送信機器５１０は、不正機器リストを更新（Ｓ５０９）した後、更新した不正機器リストを用いて再度、第１認証（Ｓ５０２）及び第２認証（Ｓ５０５）が行われる。なお、ＨＤＣＰ規格では第３認証（Ｓ５０６）の開始後（送信機器５１０が暗号化して出力しているコンテンツを、受信機器５２０が復号化し映像または音声を出画・出音している状態）の不正機器確認に関しては明確に規定されていない。再度、第１認証及び第２認証が実行されると、画面が一時的にブラックアウト（映像・音声ミュート設定）されるため、ユーザーにとって非常に不快な状況を発生させることになる。また、発生するブラックアウト期間はシステム構成及びＨＤＭＩ機器の接続構成に大きく左右されるため、数秒間ブラックアウト状態になる場合も発生する。
【００２０】
そこで、本発明は、ブラックアウトの発生を伴うことなく不正機器認証処理を行う映像音声出力機器、認証処理方法及び映像音声処理システムを提供することを目的とする。
【課題を解決するための手段】
【００２１】
上記目的を達成するために、本発明に係る映像音声出力機器は、ＨＤＭＩ通信を用い映像データ及び音声データのうち少なくとも一方を受信機器に出力する映像音声出力機器であって、不正機器の情報を示すリストである不正機器リストを保持するリスト保持手段と、前記リスト保持手段に保持される不正機器リストを用い前記受信機器が不正な機器であるか否かを確認する第１の機器認証と、周期的に行われる前記受信機器の機器認証である第２の機器認証とを行う認証手段と、新たな不正機器リストを取得するリスト取得手段と、前記リスト取得手段により取得された不正機器リストが、前記リスト保持手段に保持される不正機器リストより新しい場合に、前記リスト保持手段に保持される不正機器リストを、前記リスト取得手段により取得された不正機器リストに更新する更新手段と、前記更新手段により不正機器リストが更新された場合に、前記認証手段による第２の機器認証と並列に、該更新された不正機器リストを用い前記受信機器が不正な機器であるか否かを確認する不正機器確認手段とを備える。
【００２２】
この構成によれば、不正機器リストを更新した場合、不正機器確認手段が、更新した不正機器リストを用いて不正機器確認を行う。これにより、従来の映像音声出力機器のように、更新した不正機器リストを用いて第１の機器認証（第１認証及び第２認証）を再度行っていた場合に生じるブラックアウトの発生をなくすことができる。すなわち、本発明に係る映像音声出力機器は、ブラックアウトの発生を伴うことなく不正機器認証処理を行うことができる。また、本発明に係る映像音声出力機器は、更新した不正機器リストを用いた不正機器確認を、第２の機器認証（第３認証）処理と並列に行う。これにより、不正機器確認処理の実行により発生する第２の機器認証（第３認証）等の実行の遅延を低減することができる。よって、本発明に係る映像音声出力機器は、従来の送信機器と比べて、不正機器確認の処理及び第２の機器認証（第３認証）処理を迅速に行うことができる。
【００２３】
また、前記映像音声出力機器は、さらに、前記第１の機器認証の際に、前記受信機器の機器固有の情報を取得する機器情報取得手段と、前記機器情報取得手段により取得された前記受信機器の機器固有の情報を保持する機器情報保持手段とを備え、前記認証手段は、前記第１の機器認証において、前記機器情報保持手段に保持される前記受信機器の機器固有の情報が、前記リスト保持手段に保持される不正機器リストに含まれない場合に、前記受信機器が正当な機器であると判定し、前記不正機器確認手段は、前記第１の機器認証の際に取得され前記機器情報保持手段に保持される前記受信機器の機器固有の情報が、前記更新手段により更新され前記リスト保持手段に保持される不正機器リストに含まれない場合に、前記受信機器が正当な機器であると判定してもよい。
【００２４】
この構成によれば、不正機器確認手段は、第１の機器認証において取得された受信機器の情報と、更新された不正機器リストを用いて、受信機器が不正な機器であるか否かの確認を行う。これにより、不正機器リストを更新し、再度、不正機器確認処理を行う場合に、再び受信機器の情報を取得する必要がない。よって、不正機器リストを更新し、再度、不正機器確認処理を行う場合の処理量を低減することができる。
【００２５】
また、前記不正機器確認手段は、前記更新手段により不正機器リストが更新された場合に、前記認証手段による第２の機器認証と並列に、該更新された不正機器リストに含まれる署名情報が正当であるか否かを検証する署名検証手段を備えてもよい。
【００２６】
この構成によれば、不正機器リストの署名検証を、第２の機器認証（第３認証）と並列に処理する。ここで、不正機器リストの署名検証は、処理量が大きく、処理時間の長い処理である。よって、不正機器リストの署名検証を含む不正機器確認処理による第２の機器認証（第３認証）等の実行の遅延を低減することができる。すなわち、本発明に係る映像音声出力機器は、不正機器確認の処理及び第３認証処理をより迅速に行うことができる。
【００２７】
また、前記リスト取得手段は、前記認証手段による第２の機器認証と並列に、不正機器リストを取得し、前記更新手段は、前記リスト取得手段により取得された不正機器リストが、前記リスト保持手段に保持される不正機器リストより新しい場合に、前記認証手段による第２の機器認証と並列に、前記リスト保持手段に保持される不正機器リストを、前記リスト取得手段により取得された不正機器リストに更新してもよい。
【００２８】
この構成によれば、再生メディア等からの不正機器リストの取得、及び、取得した不正機器リストの更新処理を、第２の機器認証（第３認証）処理と並列に行う。これにより、従来の送信機器と比べて、不正機器確認の処理及び第２の機器認証（第３認証）処理を迅速に行うことができる。
【００２９】
また、前記認証手段により行われる前記受信機器の機器認証は、ＨＤＣＰ規格で定められた機器認証であり、前記第１の機器認証は、ＨＤＣＰ規格に定められた第１認証及び第２認証であり、前記第２の機器認証は、ＨＤＣＰ規格に定められた第３認証であってもよい。
【００３０】
この構成によれば、ＨＤＣＰ規格に定められた機器認証において、不正機器リストを更新した場合、不正機器確認手段が、更新した不正機器リストを用いて不正機器確認を行う。これにより、従来の映像音声出力機器のように、更新した不正機器リストを用いて第１の機器認証（第１認証及び第２認証）を再度行っていた場合に生じるブラックアウトの発生をなくすことができる。すなわち、本発明に係る映像音声出力機器は、ブラックアウトの発生を伴うことなく不正機器認証処理を行うことができる。また、本発明に係る映像音声出力機器は、更新した不正機器リストを用いた不正機器確認を、第２の機器認証（第３認証）処理と並列に行う。これにより、不正機器確認処理の実行により発生する第３認証等の実行の遅延を低減することができる。よって、本発明に係る映像音声出力機器は、従来の送信機器と比べて、不正機器確認の処理及び第２の機器認証（第３認証）処理を迅速に行うことができる。
【００３１】
また、本発明に係る映像音声処理システムは、ＨＤＭＩ通信を用い映像データ及び音声データのうち少なくとも一方を受信機器に出力する映像音声処理システムであって、請求項１〜５のいずれか１項に記載の映像音声出力機器と、映像データ及び音声データのうち少なくとも一方を記録媒体からの読み出し、読み出した映像データ及び音声データのうち少なくとも一方を処理する処理手段と、前記処理手段により処理された映像データ及び音声データのうち少なくとも一方を、ＨＤＭＩ通信を用いて前記受信機器に出力する出力手段とを備える。
【００３２】
この構成によれば、不正機器リストを更新した場合、不正機器確認手段が、更新した不正機器リストを用いて不正機器確認を行う。これにより、従来の映像音声処理システムのように、更新した不正機器リストを用いて第１の機器認証（第１認証及び第２認証）を再度行っていた場合に生じるブラックアウトの発生をなくすことができる。すなわち、本発明に係る映像音声処理システムは、ブラックアウトの発生を伴うことなく不正機器認証処理を行うことができる。また、本発明に係る映像音声処理システムは、更新した不正機器リストを用いた不正機器確認を、第２の機器認証（第３認証）処理と並列に行う。これにより、不正機器確認処理の実行により発生する第３認証等の実行の遅延を低減することができる。よって、本発明に係る映像音声処理システムは、従来の送信機器と比べて、不正機器確認の処理及び第２の機器認証（第３認証）処理を迅速に行うことができる。
【００３３】
また、本発明に係る認証処理方法は、ＨＤＭＩ通信を用い映像データ及び音声データのうち少なくとも一方を受信機器に出力し、不正機器の情報を示すリストである不正機器リストを保持するリスト保持部を備える映像音声出力機器における認証処理方法であって、前記リスト保持部に保持される不正機器リストを用い前記受信機器が不正な機器であるか否かを確認する第１の機器認証を行う第１の機器認証ステップと、不正機器リストを取得するリスト取得ステップと、前記リスト取得ステップで取得された不正機器リストが、前記リスト保持部に保持される不正機器リストより新しい場合に、前記リスト保持部に保持される不正機器リストを、前記リスト取得ステップで取得された不正機器リストに更新する更新ステップと、前記更新ステップで不正機器リストが更新された場合に、周期的に行われる前記受信機器の機器認証である第２の機器認証と並列に、該更新された不正機器リストを用い前記受信機器が不正な機器であるか否かを確認する不正機器確認ステップとを含む。
【００３４】
これによれば、不正機器リストを更新した場合、不正機器確認ステップにおいて更新した不正機器リストを用いて不正機器確認が行われる。これにより、従来の認証処理方法のように、更新した不正機器リストを用いて第１の機器認証（第１認証及び第２認証）を再度行っていた場合に生じるブラックアウトの発生をなくすことができる。すなわち、本発明に係る認証処理方法は、ブラックアウトの発生を伴うことなく不正機器認証処理を行うことができる。また、本発明に係る認証処理方法は、更新した不正機器リストを用いた不正機器確認を、第２の機器認証（第３認証処理）と並列に行う。これにより、不正機器確認処理の実行により発生する第２の機器認証（第３認証）等の実行の遅延を低減することができる。よって、本発明に係る認証処理方法は、従来の認証処理方法と比べて、不正機器確認の処理及び第２の機器認証（第３認証）処理を迅速に行うことができる。
【発明の効果】
【００３５】
本発明は、ブラックアウトの発生を伴うことなく不正機器認証処理を行う映像音声出力機器、認証処理方法及び映像音声処理システムを提供することができる。
【発明を実施するための最良の形態】
【００３６】
以下、本発明に係る映像音声出力機器を備える映像音声通信システムの実施の形態について、図面を参照しながら詳細に説明する。
【００３７】
本発明に係る映像音声出力機器は、不正機器リストが更新された場合に、第３認証と並列に、更新された不正機器リストを用いて、再度、不正機器確認を行う。これにより、従来の映像音声通信システムにおいて生じていたブラックアウトの発生をなくすことができる。
【００３８】
まず、本発明の実施の形態に係る映像音声通信システムの構成を説明する。
図１は、本発明の実施の形態に係る映像音声通信システムの概略構成を示す図である。
【００３９】
図１に示す映像音声通信システム１００は、ＤＶＤプレーヤ等の送信機器１１０と、ＴＶ等の受信機器１２０と、アンプ等の受信機器１４０とを備える。送信機器１１０は、ＤＶＤプレーヤ等であり、再生メディア等に保持される映像データ及び音声データを再生し、出力する映像音声出力機器である。受信機器１２０は、ＴＶ等であり、送信機器が出力する映像データ及び音声データを出画及び出音する表示機器である。受信機器１４０は、アンプ等であり、送信機器１１０からの映像データ及び音声データを処理し、出力する。送信機器１１０と受信機器１４０とは、ＨＤＭＩケーブル１３１を介して接続される。受信機器１４０と受信機器１２０とはＨＤＭＩケーブル１３２を介して接続される。例えば、送信機器１１０は、ＤＶＤメディア等を再生し、再生した映像データ及び音声データを、受信機器１４０を介して、受信機器１２０に送信する。受信機器１２０は、送信された映像データ及び音声データを出画及び出音する。なお、図１におい送信機器１１０は、受信機器１４０を介して、受信機器１２０と接続されているが、送信機器１１０と受信機器１２０とはＨＤＭＩケーブルを介して直接接続されてもよい。また、送信機器１１０に接続されている受信機器５２０に複数の受信機器が接続されてもよい。
【００４０】
以下、ＤＶＤプレーヤ等の送信機器１１０とＴＶ等の受信機器１２０とが１対１で接続されている場合を例に、映像音声通信システムの詳細な構成を説明する。
【００４１】
図２は、本発明の実施の形態に係る映像音声通信システムの構成を示すブロック図である。
【００４２】
図２に示す映像音声通信システム１００は、ＤＶＤプレーヤ等の送信機器１１０と、ＴＶ等の受信機器１２０とを備える。送信機器１１０と受信機器１２０とは、ＨＤＭＩケーブル１３０を介して接続される。
【００４３】
送信機器１１０は、ＨＤＭＩ通信を用い映像データ及び音声データを受信機器に出力する映像音声出力機器である。例えば、送信機器１１０は、ＤＶＤメディア等の記憶媒体からの映像データ及び音声データを処理し、処理した映像データ及び音声データを、ＨＤＭＩ通信を用いて受信機器１２０へ出力する映像音声処理システムである。送信機器１１０は、ＣＰＵ１１１と、ディスク制御部１１２と、メモリ領域１１３と、ＨＤＭＩ送信部１１４とを備える。
【００４４】
ＣＰＵ１１１は、ディスク制御部１１２、ＨＤＭＩ送信部１１４、及びメモリ領域１１３の制御を行う。
【００４５】
ディスク制御部１１２は、ＤＶＤメディア等の記録媒体が挿入されるディスクの制御を行う。また、ディスク制御部１１２は、ＤＶＤメディア等の記録媒体に格納された映像データ及び音声データを処理する。
【００４６】
メモリ領域１１３は、不正機器の情報を示すリストである不正機器リストを保持する。不正機器リストは、今後市場に不正機器が増加するに従い最新のものが作成され配布される。送信機器１１０は最新の不正機器リストの取得を再生メディア等の外部記憶媒体、またはインターネット等のネットワークを通して行うことが可能である。また、不正機器リストのバージョンアップ手法に関してはＨＤＣＰ規格で規定されている。よって、送信機器１１０は、再生メディア等を通して最新の不正機器リストを取得した後メモリ領域１１３へ格納し、直ちに受信機器１２０に対する不正機器確認をする必要がある。また、メモリ領域１１３は、受信機器１２０の機器固有の情報を保持する。
【００４７】
ＨＤＭＩ送信部１１４は、ディスク制御部１１２が処理した映像データ及び音声データを含むコンテンツを暗号化し、ＨＤＭＩ通信を用い受信機器１２０へ送信するＬＳＩである。ＨＤＭＩ送信部１１４は、ＨＤＭＩケーブル１３０を介し、受信機器１２０に映像データ及び音声データを含むコンテンツを一方向送信する。ＨＤＭＩ送信部１１４は、認証部１１５と、暗号化部１１６と、ＤＤＣ部１１７と、不正機器確認部１１８とを備える。
【００４８】
認証部１１５は、受信機器１２０が不正な機器であるか否かを判定する機器認証を行う。認証部１１５が行う受信機器１２０の機器認証はＨＤＣＰ規格で定められた機器認証であり、第１認証、第２認証及び第３認証を含む。第１認証及び第２認証は、送信機器１１０と受信機器１２０との間で認証に必要な情報の交換を行い、お互いに接続相手が不正機器かどうかの確認を行うものである。また、送信機器１１０は、第１認証及び第２認証時に、メモリ領域１１３に保持される不正機器リストと、受信機器１２０の機器固有の情報（Ｂｋｓｖ情報又はＫＳＶＬｉｓｔ情報）とを用い、受信機器１２０が不正な機器であるか否かを確認する不正機器確認処理を行う。第３認証は、周期的に行われる送信機器１１０と受信機器１２０との間の機器認証である。具体的には、第３認証は、コンテンツの暗号化及び復号化に用いられる情報の更新及びベリファイである。
【００４９】
暗号化部１１６は、受信機器１２０に送信するコンテンツを暗号化する。
ＤＤＣ部１１７は、ＨＤＭＩケーブル１３０を介し、受信機器１２０との双方向のＤＤＣ通信を行う。ＤＤＣ部１１７は、第１認証及び第２認証の際に、受信機器１２０の機器固有の情報を取得する。メモリ領域１１３は、ＤＤＣ部１１７が取得した受信機器１２０の機器固有の情報を保持する。
【００５０】
不正機器確認部１１８は、受信機器１２０が不正な機器であるか否かを判定する不正機器確認を行う。不正機器確認部１１８は、認証部１１５による第３認証と並列に、ＤＶＤメディア等の記憶媒体に保持される不正機器リストを取得する。さらに、不正機器確認部１１８は、不正機器確認部１１８は、認証部１１５による第３認証と並列に、取得した不正機器リストが、メモリ領域１１３に保持される不正機器リストより新しいか否かを判定する。不正機器確認部１１８は、取得した不正機器リストが、メモリ領域１１３に保持される不正機器リストより新しい場合に、メモリ領域１１３に保持される不正機器リストを、取得した不正機器リストに更新する。不正機器確認部１１８は、不正機器リストが更新された場合に、認証部１１５による第３認証と並列に、更新された不正機器リストを用い受信機器１２０が不正な機器であるか否かを確認する。
【００５１】
受信機器１２０は、ＣＰＵ１２１と、ＨＤＭＩ受信部１２２と備える。ＨＤＭＩ受信部１２２は、送信機器１１０から送信された映像データ及び音声データを含むコンテンツの受信を行うＬＳＩである。ＨＤＭＩ受信部１２２は、機器認証を行う認証部１２３と、送信されたコンテンツを復号化する復号化部１２４とを備える。ＣＰＵ１２１は、ＨＤＭＩ受信部１２２の制御を行う。
【００５２】
次に、本発明の実施の形態に係る映像音声通信システム１００の動作を説明する。
図３は、本発明の実施の形態に係る映像音声通信システム１００における機器認証処理の流れを示すフローチャートである。例えば、ＤＶＤメディアの交換時、又はインターネットを介したコンテンツのダウンロード開始時等に、図３に示す処理が行われる。また、送信機器１１０の電源投入時、及び映像音声通信システム１００の構成が変更された際（送信機器１１０に接続される受信機器の構成が変更になった際）に、図３に示す処理が行われる。
【００５３】
まず、送信機器１１０は、コンテンツをミュート状態（受信機器１２０では映像が出画されず、音声も出ていない状態）にし、受信機器１２０に対して送信を開始する（Ｓ１０１）。次に、送信機器１１０は、受信機器１２０との間で第１認証を実行する（Ｓ１０２）。
【００５４】
図４は、映像音声通信システム１００における第１認証処理（Ｓ１０２）の流れを示すフローチャートである。第１認証（Ｓ１０２）において、まず、認証部１１５は、送信機器１１０と受信機器１２０との間で認証に必要な情報の交換を行う。その際、認証部１１５は、受信機器１２０の情報を取得する（Ｓ２０１）。具体的には、ＤＤＣ部１１７は、受信機器１２０からＤＤＣ通信により、受信機器１２０の機器固有の情報であるＢｋｓｖ情報を取得する。ＤＤＣ部１１７により取得されたＢｋｓｖ情報は、メモリ領域１１３に保持される。
【００５５】
図５は、メモリ領域１１３の構成を模式的に示す図である。メモリ領域１１３は、Ｂｋｓｖ領域１５１と、ＫＳＶＬｉｓｔ領域１５２と、不正機器リスト領域１５３とを含む。ステップＳ２０１において取得されたＢｋｓｖ情報は、メモリ領域１１３のＢｋｓｖ領域１５１に保持される。ここで、メモリ領域１１３に保持される不正機器リストと、Ｂｋｓｖ情報と、後述するＫＳＶＬｉｓｔ情報とのデータフォーマットはＨＤＣＰ規格で規定されている。送信機器１１０と受信機器１２０との間での情報交換が完了すると、取得した情報をもとに認証部１１５及び認証部１２３は第１認証に必要な情報を生成し、生成した情報を用いて第１認証処理を行う（Ｓ２０２）。第１認証処理が異常終了の場合（Ｓ２０２でＮＧ）、メモリ領域１１３に保持される受信機器１２０の情報が破棄され（Ｓ２０６）、送信機器１１０は、認証処理を異常終了する。第１認証処理が正常終了した場合（Ｓ２０２でＰａｓｓ）、認証部１１５は、メモリ領域１１３に保持される不正機器リストに含まれる署名の検証を行う（Ｓ２０３）。認証部１１５は、不正機器リスト領域１５３に保持される不正機器リストに含まれる署名が正当であるか否かの検証を行う。なお、図４には図示していないが、不正機器リストの署名が不正である場合には、認証処理の異常終了又は、リストの再取得等の処理が行われる。
【００５６】
次に、認証部１１５は、Ｂｋｓｖ情報が、不正機器リスト領域１５３に保持される不正機器リストに含まれるか否かを判定する（Ｓ２０４）。取得された受信機器１２０のＢｋｓｖ情報が、不正機器リストに含まれる場合（Ｓ２０４でＹｅｓ）、認証部１１５は、受信機器１２０が不正な機器であると判定する（Ｓ２０５）。受信機器１２０が不正な機器であると判定された場合、メモリ領域１１３に保持される受信機器１２０の情報（Ｂｋｓｖ情報）が破棄される（Ｓ２０６）。取得された受信機器１２０の情報が、不正機器リストに含まれない場合（Ｓ２０４でＮｏ）、認証部１１５は、受信機器１２０が正当な機器であると判定する（Ｓ２０７）。
【００５７】
第１認証がＮＧの場合（Ｓ１０２でＮＧ）、送信機器１１０は、コンテンツの送信を異常終了する。第１認証がＰａｓｓの場合（Ｓ１０２でＰａｓｓ）、送信するコンテンツのミュート設定が解除される（Ｓ１０３）。すなわち、受信機器１２０では、コンテンツに含まれる映像データ及び音声データが表示される。次に、認証部１１５は、第２認証が必要であるか否かを判定する（Ｓ１０４）。具体的には、認証部１１５は、受信機器１２０に複数の受信機器が接続されている場合に、第２認証が必要であると判定する（Ｓ１０４でＹｅｓ）。例えば、受信機器１２０がリピータの場合（例えば、図１に示すようにアンプ等の受信機器１４０を介してＴＶ等の受信機器１２０が接続されている場合）に、第２認証が必要であると判定する。また、認証部１１５は、送信機器１１０に１つの受信機器のみが接続されている場合には、第２認証が不要であると判定する（Ｓ１０４でＮｏ）。
【００５８】
第２認証が必要であると判定された場合（Ｓ１０４でＹｅｓ）、認証部１１５は、第２認証を行う（Ｓ１０５）。第２認証の処理の流れは、図４に示す第１認証の処理の流れとほぼ同様である。
【００５９】
図６は、映像音声通信システム１００における第２認証処理（Ｓ１０５）の流れを示すフローチャートである。第２認証（Ｓ１０５）時の不正機器確認の際、まず、ＤＤＣ部１１７は、受信機器１２０が保持している複数の受信機器の機器固有の情報を取得する（Ｓ２０８）。具体的には、ＤＤＣ部１１７は、ＤＤＣ通信により、送信機器１１０に接続される複数の受信機器１２０から、複数の受信機器１２０の機器固有情報であるＫＳＶＬｉｓｔ情報を取得する。ここで、ＫＳＶＬｉｓｔ情報は、送信機器１１０に接続される複数の受信機器１２０のそれぞれの機器固有の情報を含む。例えば、図１に示すように、送信機器１１０に受信機器１４０を介して受信機器１２０が接続されている場合には、受信機器１２０以下に接続されている全ての受信機器１４０の機器固有の情報がＫＳＶＬｉｓｔ情報に含まれる。ＤＤＣ部１１７により取得されたＫＳＶＬｉｓｔ情報は、メモリ領域１１３のＫＳＶＬｉｓｔ領域１５２に保持される。
【００６０】
次に、認証部１１５は、第２認証処理により受信機器との機器認証を行う（Ｓ２０９）。ここで、第２認証処理は、ＨＤＣＰ規格に規定されている認証である。第２認証処理が異常終了の場合（Ｓ２０９でＮＧ）、メモリ領域１１３に保持される受信機器１２０の情報が破棄され（Ｓ２１３）、送信機器１１０は、認証処理を異常終了する。
【００６１】
第２認証処理が正常終了した場合（Ｓ２０９でＰａｓｓ）、認証部１１５は、ＫＳＶＬｉｓｔ情報に含まれる複数の受信機器１２０の機器固有の情報が、不正機器リスト領域１５３に保持される不正機器リストに含まれるか否かを判定する（Ｓ２１１）。取得された複数の受信機器１２０の機器固有の情報のうち少なくとも１つが、不正機器リストに含まれる場合（Ｓ２１１でＹｅｓ）、認証部１１５は、受信機器１２０が不正な機器であると判定する（Ｓ２１２）。受信機器１２０が不正な機器であると判定された場合、メモリ領域１１３に保持される受信機器１２０の情報が破棄される（Ｓ２１３）。取得された複数の受信機器１２０の機器固有の情報のうち全てが、不正機器リストに含まれない場合（Ｓ２１１でＮｏ）、認証部１１５は、受信機器１２０が正当な機器であると判定する（Ｓ２１４）。
【００６２】
第２認証がＮＧの場合（Ｓ１０５でＮＧ）、送信機器１１０は、コンテンツの送信を異常終了する。
【００６３】
第２認証が不要であると判定された場合（Ｓ１０４でＮｏ）、又は第２認証がＰａｓｓの場合（Ｓ１０５でＰａｓｓ）、認証部１１５は、第３認証を行う（Ｓ１０６）。ここで、第３認証とは、暗号化部１１６が暗号化に用いる暗号鍵の更新処理等である。具体的には、第３認証において、認証部１１５は、暗号化部１１６が暗号化に用いる暗号情報（Ｒｉ１）及び復号化部１２４が復号化に用いる復号情報（Ｒｉ２）の更新を行う。また、認証部１１５は、送信機器１１０に保持される暗号情報（Ｒｉ１）と、受信機器１２０に保持される復号情報（Ｒｉ２）のベリファイを行う。第３認証がＮＧの場合（Ｓ１０６でＮＧ）、送信機器１１０は、コンテンツの送信を異常終了する。
【００６４】
第３認証がＰａｓｓの場合（Ｓ１０６でＰａｓｓ）、コンテンツの送信が終了する（Ｓ１０７でＹｅｓ）まで、所定の周期毎（例えば、数秒毎）に、第３認証（Ｓ１０６）が行われる。
【００６５】
一方、第２認証（Ｓ１０５）の終了後（又は第２認証が不要であると判定された場合（Ｓ１０４でＮｏ））、第３認証処理（Ｓ１０６）と並列に、以下に示すステップＳ１０８〜Ｓ１１２の処理が行われる。
【００６６】
第２認証が不要であると判定された場合（Ｓ１０４でＮｏ）、又は第２認証がＰａｓｓの場合（Ｓ１０５でＰａｓｓ）、不正機器確認部１１８は、再生メディアに保持される不正機器リストを取得する（Ｓ１０８）。次に、不正機器確認部１１８は、取得した不正機器リストが、メモリ領域１１３に保持されている不正機器リストより新しいか否かを判定する。具体的には、不正機器確認部１１８は、取得した不正機器リストと、メモリ領域１１３に保持されている不正機器リストとに含まれる不正機器リストのバージョンの情報を比較することで、取得した不正機器リストが、メモリ領域１１３に保持されている不正機器リストより新しいか否かを判定する。取得した不正機器リストが、メモリ領域１１３に保持されている不正機器リストより新しい場合（Ｓ１０９でＹｅｓ）、不正機器確認部１１８は、メモリ領域１１３に保持されている不正機器リストを更新する（Ｓ１１０）。
【００６７】
次に、不正機器確認部１１８は、ステップＳ１１０で更新された不正機器リストを用いて、不正機器確認を行う（Ｓ１１１）。
【００６８】
図７は、本発明の実施の形態に係る映像音声通信システム１００における不正機器確認（Ｓ１１１）の処理の流れを示すフローチャートである。図７に示すように、まず、不正機器確認部１１８は、更新した不正機器リストに含まれる署名の検証を行う（Ｓ３０１）。すなわち、不正機器確認部１１８は、不正機器リスト領域１５３に保持されるステップＳ１１０において更新された不正機器リストに含まれる署名が正当であるか否かの検証を行う。なお、図７には図示していないが、不正機器リストの署名が不正である場合には、認証処理の異常終了又は、リストの再取得等の処理が行われる。ステップＳ３０１において不正機器リストが正当であると判定された場合、不正機器確認部１１８は、メモリ領域１１３のＢｋｓｖ領域１５１に保持されているＢｋｓｖ情報が、不正機器リスト領域１５３に保持される更新された不正機器リストに含まれるか否かを判定する（Ｓ３０２）。なお、送信機器１１０に接続している受信機器１２０に複数の受信機器が接続されている場合（第２認証（Ｓ１０５）が行われた場合）には、不正機器確認部１１８は、更にＫＳＶＬｉｓｔ領域１５２に保持されているＫＳＶＬｉｓｔ情報に含まれる機器固有の情報が不正機器リスト領域１５３に保持される更新された不正機器リストに含まれるか否かを判定する。
【００６９】
保持されているＢｋｓｖ情報（又はＫＳＶＬｉｓｔ情報に含まれる機器固有の情報）が、更新した不正機器リストに含まれる場合（Ｓ３０２でＹｅｓ）、不正機器確認部１１８は、受信機器１２０が不正な機器であると判定する（Ｓ３０３）。保持されているＢｋｓｖ情報（又はＫＳＶＬｉｓｔ情報に含まれる機器固有の情報）が、不正機器リストに含まれない場合（Ｓ３０２でＮｏ）、不正機器確認部１１８は、受信機器１２０が正当な機器であると判定する（Ｓ３０４）。
【００７０】
不正機器確認がＮＧの場合（Ｓ１１１でＮＧ）、送信機器１１０は、メモリ領域１１３に保持されている受信機器１２０の機器固有の情報であるＢｋｓｖ情報（又はＫＳＶＬｉｓｔ情報）を破棄し（Ｓ１１２）、送信機器１１０は、コンテンツの送信を異常終了する。
【００７１】
一方、ステップＳ１０８で取得した不正機器リストが、メモリ領域１１３に保持されている不正機器リストより古い場合（Ｓ１０９でＮｏ）、不正機器リストの更新は行われない。
【００７２】
以上の処理により、本発明の実施の形態に係る映像音声通信システム１００における送信機器１１０は、不正機器リストを更新した場合、不正機器確認部１１８が、更新した不正機器リストを用いて不正機器確認を行う。これにより、従来の映像音声通信システムのように、更新した不正機器リストを用いて第１認証及び第２認証を再度行っていた場合に生じるブラックアウトの発生をなくすことができる。すなわち、本発明の実施の形態に係る送信機器１１０は、ブラックアウトの発生を伴うことなく不正機器認証処理を行うことができる。
【００７３】
また、本発明の実施の形態に係る送信機器１１０は、再生メディア等から取得した不正機器リストの更新処理を、第３認証処理（Ｓ１０６）と並列に行う。また、送信機器１１０は、更新した不正機器リストを用いた不正機器確認を、第３認証処理（Ｓ１０６）と並列に行う。これにより、不正機器確認処理の実行により発生する第３認証等の実行の遅延を低減することができる。よって、本発明の実施の形態に係る送信機器１１０は、従来の送信機器と比べて、不正機器確認の処理及び第３認証処理を迅速に行うことができる。また、不正機器リストのバージョンアップに伴い、不正機器リストに含まれる不正機器の情報は増加することとなる。これにより、第１認証及び第２認証の処理量は増加する。よって、不正機器リスト更新後の不正機器確認処理（従来の第１認証及び第２認証）の処理時間も長くなる。さらに、従来の送信機器において発生していたブラックアウトの期間は長くなる。すなわち、不正機器確認処理の処理時間の増加に伴い、本発明は、さらに効果を発揮することとなる。
【００７４】
また、不正機器確認処理（従来の第１認証及び第２認証）で行われている不正機器リストの署名検証（Ｓ２０３、Ｓ２１０、Ｓ３０１及びＳ６０３）は、処理量が大きく、処理時間の長い処理である。本発明の実施の形態に係る送信機器１１０では、不正機器リストが更新された場合に、不正機器確認部１１８が、認証部１１５による第３認証（Ｓ１０６）と並列に、更新された不正機器リストの署名検証（Ｓ３０１）を行う。これにより、不正機器確認処理の実行により発生する第３認証等の実行の遅延を低減することができる。よって、不正機器確認の処理及び第３認証処理を迅速に行うことができる。
【００７５】
また、本発明の実施の形態に係る送信機器１１０は、第１認証（Ｓ１０２）又は第２認証（Ｓ１０５）において取得した受信機器１２０の情報を、第１認証又は第２認証終了後も破棄せずにメモリ領域１１３に保持する。これにより、不正機器リストを更新し、再度、不正機器確認処理を行う場合に、再び受信機器１２０の情報を取得する必要がない。一方、従来の送信機器５１０では、不正機器リストの更新（Ｓ５０９）後の、不正機器確認処理（第１認証（Ｓ５０２）及び第２認証（Ｓ５０５））において、再度、受信機器１２０の情報の取得（Ｓ６０１）が行われる。すなわち、本発明の実施の形態に係る送信機器１１０は、不正機器リストを更新し、再度、不正機器確認処理を行う場合の処理量を低減することができる。
【００７６】
また、本発明の実施の形態に係る送信機器１１０は、複数の受信機器１２０が接続されている場合には、第２認証（Ｓ１０５）において複数の受信機器１２０の機器固有の情報を取得する。不正機器確認部１１８は、不正機器リストを更新した場合、更新した不正機器リストと複数の受信機器１２０の情報とを比較し、不正機器確認を行う。すなわち、本発明は、送信機器１１０に、リピータ又はハブ等を使用し、複数のＨＤＭＩ機器を接続した場合にも、同様にブラックアウトの発生をなくすことができる。
【００７７】
なお、上記説明において、第３認証処理（Ｓ１０６）と、不正機器リストの更新及び不正機器確認（Ｓ１０８〜Ｓ１１２）とは、並列に処理されるとしたが、不正機器リストの更新及び不正機器確認（Ｓ１０８〜Ｓ１１２）に含まれる処理の一部が、第３認証処理と時系列に処理されてもよい。
【００７８】
また、図２において、第１認証及び第２認証を行う認証部１１５と、不正機器確認部１１８とは、個別の機能ブロックとして記載しているが、第１認証処理（Ｓ１０２）及び第２認証処理（１０５）と、不正機器確認処理（Ｓ１１１）とに含まれる処理の一部を共通のハードウェアを用いて行ってもよい。
【００７９】
また、上記説明において、送信機器１１０は、ＤＶＤメディア等から映像データ及び音声データを読み出し、受信機器に出力するとしたが、インターネットを介して、ダウンロードしたコンテンツを受信機器に出力してもよい。また、送信機器１１０は、映像データ及び音声データの少なくとも一方のデータを出力してもよい。また、上記説明において、送信機器１１０としてＤＶＤプレーヤを例に説明したが、送信機器１１０は、ＤＶＤレコーダ、ブルーレイ機器、ＳＴＢ及びＨＤムービー等のＡＶ機器（映像音声処理システム）であってもよい。また、送信機器１１０は、パーソナルコンピュータ等であってもよい。
【００８０】
また、上記説明において、第１認証終了後、かつ第２認証開始前にミュート解除（Ｓ１０３）を行うとしたが、第２認証終了後又は所定の初回の第３認証が終了後にミュート解除を行ってもよい。
【００８１】
また、上記説明において、受信機器１２０の情報の破棄（Ｓ１１２）は、不正機器確認がＮＧ（Ｓ１１１でＮＧ）となった後に行われているが、他のタイミングに行ってもよい。例えば、接続構成が変更になった際に、受信機器１２０の情報を破棄してもよい。
【産業上の利用可能性】
【００８２】
本発明は、映像音声出力機器、認証処理方法及び映像音声処理システムに適用でき、特に、ＨＤＭＩ通信を用いたＡＶ出力機能を有するＤＶＤ機器、ブルーレイ機器、ＳＴＢ（Ｓｅｔ  Ｔｏｐ  Ｂｏｘ）、ＨＤ（Ｈａｒｄ  Ｄｉｓｋ）ムービー、及びパーソナルコンピュータ等に適用できる。
【図面の簡単な説明】
【００８３】
【図１】本発明の実施の形態に係る映像音声通信システムの概略構成を示す図である。
【図２】本発明の実施の形態に係る映像音声通信システムの構成を示すブロック図である。
【図３】本発明の実施の形態に係る映像音声通信システムにおける機器認証の処理の流れを示すフローチャートである。
【図４】本発明の実施の形態に係る映像音声通信システムにおける第１認証の処理の流れを示すフローチャートである。
【図５】本発明の実施の形態に係る映像音声通信システムのメモリ領域の構成を示す図である。
【図６】本発明の実施の形態に係る映像音声通信システムにおける第２認証の処理の流れを示すフローチャートである。
【図７】本発明の実施の形態に係る映像音声通信システムにおける不正機器確認の処理の流れを示すフローチャートである。
【図８】従来の映像音声通信システムの構成を示すブロック図である。
【図９】従来の映像音声通信システムにおける機器認証の処理の流れを示すフローチャートである。
【図１０】従来の映像音声通信システムにおける第１認証の処理の流れを示すフローチャートである。
【符号の説明】
【００８４】
１００、５００  映像音声通信システム
１１０、５１０  送信機器
１１１、５１１  ＣＰＵ
１１２、５１２  ディスク制御部
１１３、５１３  メモリ領域
１１４、５１４  ＨＤＭＩ送信部
１１５、５１５  認証部
１１６、５１６  暗号化部
１１７、５１７  ＤＤＣ部
１１８  不正機器確認部
１２０、１４０、５２０  受信機器
１２１、５２１  ＣＰＵ
１２２、５２２  ＨＤＭＩ受信部
１２３、５２３  認証部
１２４、５２４  復号化部
１３０、１３１、１３２、５３０  ＨＤＭＩケーブル
１５１  Ｂｋｓｖ領域
１５２  ＫＳＶＬｉｓｔ領域
１５３  不正機器リスト領域
【図１】
2008131557.tif 000003
【図２】
2008131557.tif 000004
【図３】
2008131557.tif 000005
【図４】
2008131557.tif 000006
【図５】
2008131557.tif 000007
【図６】
2008131557.tif 000008
【図７】
2008131557.tif 000009
【図８】
2008131557.tif 000010
【図９】
2008131557.tif 000011
【図１０】
2008131557.tif 000012